(57)【要約】【課題】ポスター等の広告表示手段として、通常のテレビ受像機を縦置きにすることにより縦長画面での全面表示とするエリア放送システムを提供することを目的とする。【解決手段】標準の横長型デジタル・テレビ受像機を縦長方向に立てて設置し、該縦長画面にポスター等のデジタル画像が縦長に正立して全画面で表示されるエリア・テレビ放送を送信する。テレビ受像機のデータ放送受信画面において、ポスター等のデジタル画像が全面表示される。【選択図】図１
2013183389.tif 000002
【特許請求の範囲】
【請求項１】
ビル内等のエリア放送システムにおいて、
標準の横長型デジタル・テレビ受像機を縦長方向に立てて設置し、該縦長画面にポスター等のデジタル画像が縦長に正立して全画面で表示されるテレビ放送を送信することを特徴とする縦横変換機能付き放送送信システムを用いたエリア放送システム。
【請求項２】
前記エリア放送システムがデータ放送であって、テレビ受像機のデータ放送受信画面において通常のテレビ受像画面を表示せず、ポスター等のデジタル画像のみが全面表示されることを特徴とする前記請求項１記載のエリア放送システム。
【請求項３】
前記放送システムが、ＰＣで作成されたポスター等の画像を蓄積する画像蓄積装置、該画像蓄積装置に格納されている画像をテレビ電波として送出する放送送出装置及び該放送送出装置の送信電波を受信するテレビ受像機からなり、テレビ受像機を縦長方向に立てて設置し、該縦長画面にポスター等のデジタル画像が縦長に正立して全画面で表示することを特徴とする前記請求項１または２記載のエリア放送システム。
【請求項４】
前記ポスター等のデジタル画像が背景画像及び該背景画像に貼り付けられる部分画像の多層画面であって、上記背景画像が９０度回転された画像データと共に上記部分画像の回転された画像を形成し、上記多層画面を上記部分画像をその位置情報によって前記背景画像が９０度回転された画像データに組み合わせて合成して放送波を作成し、送信することを特徴とする前記請求項１または２記載のエリア放送システム。
【請求項５】
前記放送システムの画像蓄積装置には、上記９０度回転された画像データ、部分画像とその位置情報、及び郵便番号と所望のポスター等のデジタル画像とのリンクを格納したデータベースを有し、テレビ受像機の郵便番号の設定により所望の上記ポスター等のデジタル画像を表示させることを特徴とする前記請求項３記載のエリア放送システム。
【請求項６】
前記３記載のエリア放送システムに用いられる放送送出装置であって、
該放送送出装置には、入力画像を９０度回転する画像データ縦横変換部を有することを特徴とする放送送出装置。
【請求項７】
前記４記載のエリア放送システムに用いられる放送送出装置であって、
前記ポスター等のデジタル画像が背景画像及び該背景画像の貼り付けられた部分画像の多層画面であって、前記放送送出装置には、画像データ縦横変換部と共に、上記部分画像の位置情報を座標回転処理させるＢＭＬデータ縦横変換部を有することを特徴とする放送送出装置。
【発明の詳細な説明】
【技術分野】
【０００１】
本発明は、テレビ受像機を縦置きにして正立して縦長に全面表示されるテレビ放送を送信する放送システム及び装置に関する。
【背景技術】
【０００２】
ビル内や限られたエリアでのポスター等の広告表示手段として、テレビ受像機を用いることが周知である。
【０００３】
しかし、通常テレビ受像機は横長画面であり、これを縦長画面での全面表示にする使用形態は従来想定されていない。ポスターや他の広告用の表示（例えば、コマーシャルの動画）の横長画面は街中で見慣れているため、さほど注目を浴びない欠点がある。例えば、縦長ポスター、人物像の出るファッション画像とか、スポーツ・イベント等の広告の場合、縦長画面の方が注目を浴びるので広告効果が高い。
【０００４】
また、従来、上記縦長画面の宣伝効果に着目し、ポスター等の広告表示手段として、縦長画面での全面表示にする使用形態でテレビ受像機を用いることが提案されている（文献１、文献２）。
【０００５】
しかし、上記提案のものは、ＶＴＲ等の出力画像を９０度回転させて表示するものであり、上記画像の９０度回転は端末側で処理するものであって、テレビ放送の段階で信号形態が９０度回転した画像となっているものではない。
【０００６】
上記観点に鑑み、本発明は、縦長画面の全面表示で通常のテレビ受像機を用いる安価なエリア放送システムを提案するものである。
【先行技術文献】
【特許文献】
【０００７】
【特許文献１】特開２００４−２４０１１８号公報
【特許文献２】特開２００４−２２６４９４号公報
【特許文献３】特開平１０−３２２６３２号公報
【発明の概要】
【発明が解決しようとする課題】
【０００８】
この発明は、縦長画面の全面表示でテレビ受像機を用いる安価なエリア放送システム、特に、データ放送システムをそのまま利用し、通常のテレビ受像機に改良を加えることなく、ポスター等の広告表示手段として、通常のテレビ受像機を縦置きにすることにより縦長画面での全面表示にするエリア放送システムを提供することを目的とする。
【課題を解決するための手段】
【０００９】
本発明の縦横変換機能付き放送送信装置を用いたエリア放送システムは、ビル内等のエリア放送方式において、標準の横長型デジタル・テレビ受像機を縦長方向に立てて設置し、該縦長画面にポスター等のデジタル画像が縦長に正立して全画面で表示されるテレビ放送を送信することを特徴とする。
【００１０】
さらに、前記エリア放送システムがデータ放送であって、テレビ受像機のデータ放送受信画面において通常のテレビ受像画面（映像）を表示せず、ポスター等のデジタル画像のみが全面表示されることを特徴とする。
【００１１】
またさらに、前記放送システムが、ＰＣで作成されたポスター等の画像を蓄積する画像蓄積装置、該画像蓄積装置に格納されている画像をテレビ電波として送出する放送送出装置及び該放送送出装置の送信電波を受信するテレビ受像機からなり、テレビ受像機を縦長方向に立てて設置し、該縦長画面にポスター等のデジタル画像が縦長に正立して全画面で表示することを特徴とする。
【００１２】
またさらに、前記ポスター等のデジタル画像が背景画像及び該背景画像に貼り付けられる部分画像の多層画面であって、上記背景画像が９０度回転された画像データと共に上記部分画像の回転された画像を形成し、上記多層画面を上記部分画像をその位置情報によって前記背景画像が９０度回転された画像データに組み合わせて合成して放送波を作成し、送信することを特徴とする。
【００１３】
また、前記放送システムの画像蓄積装置には、上記９０度回転された画像データ、部分画像とその位置情報、及び郵便番号と所望のポスター等のデジタル画像とのリンクを格納したデータベースを有し、テレビ受像機の郵便番号の設定により所望の上記ポスター等のデジタル画像を表示させることを特徴とする。
【００１４】
あるいは、本発明の放送送出装置は、前記エリア放送システムに用いられる放送送出装置であって、該放送送出装置には、入力画像を９０度回転する画像データ縦横変換部を有することを特徴とする。
【００１５】
さらにまた、該放送送出装置は、前記エリア放送システムに用いられる放送送出装置であって、前記ポスター等のデジタル画像が背景画像及び該背景画像の貼り付けられた部分画像の多層画面であって、前記放送送出装置には、画像データ縦横変換部と共に、上記部分画像の位置情報を座標回転処理させるＢＭＬデータ縦横変換部を有することを特徴とする。
【発明の効果】
【００１６】
本発明の縦横変換機能付き放送送信システムを用いて、ビル内等の限られたエリア内でのエリア放送を行えば、複数の通常のテレビ受像機を縦に立てて用いることにより、それぞれのテレビ受像機に任意のポスター等の広告表示を行えるので、広告塔としての設置コストも小さく、しかも、利便性が高い。
【００１７】
また、各広告塔（テレビ受像機）を受信郵便番号を変えるのみで、対応する放送波のポスター等の画面を選択できるので、従来のような紙ポスターの張替え等の手間がなく、また、動画も再生できるので、利便性が高い。
【００１８】
さらに、従来のテレビ受像機を用いた縦長画面設置型と比較すると、従来型は端末側での縦長画面画像処理になるので操作が面倒であり、一方、本発明のシステムは、放送側ですべて縦長配信画像を選択できるので端末側負担がなく、その利便性は顕著なものである。
【図面の簡単な説明】
【００１９】
【図１】本発明の縦横変換機能付き放送送信システムの概要を示す図である。
【図２】図１の縦横変換機能付き放送送信システム細部の説明図である。
【図３】本発明の縦横変換機能付き放送送信システムの実施例１を示す図である。
【図４】図３のさらに詳細な説明図である。
【図５】図４におけるＢＭＬファイルの位置座標の説明図である。
【図６】図５のＢＭＬファイルおよび背景画像のさらに詳細な位置関係を示す図である。
【図７】同本発明の縦横変換機能付き放送送信システムの画像回転処理の説明図である。
【図８】本発明の縦横変換機能付き放送送信システムの実施例２を示す図である。
【図９】従来のデジタル放送システムの概念図である。
【発明を実施するための形態】
【００２０】
まず、本発明の前提となる従来のデジタル放送（データ放送）について、概略を説明する。図９に示すごとく、従来のデジタル放送（データ放送）は、背景画像ファイル１１１、背景画像以外のファイル１１２、画像ファイル名と画像ファイルが表示される座標等が記述されたＢＭＬファイル１１１が放送送出装置１１７内の記憶装置１１３に入力され、パケッタライズ（１１４）してＯＦＤＭ変調（１１５）された放送波として送出される。
【００２１】
放送波は各テレビ受像機で１１６に示すごとく、背景画像に背景画像以外の画像が貼り付けられて表示される。なお、デジタル放送の規格は周知であり、
http://www.arib.or.jp/tyosakenkyu/kikaku_hoso/hoso_kikaku_number.html
に公開されている。
【００２２】
上記デジタル放送の規格は、横長の画面を想定した規格となっている。デジタル放送波にはデータ放送の情報も含めることができ、該データ放送の規格も横長の画面を想定した規格となっている。
【００２３】
上記データ放送で使用されるデータには、下記のものがある。
・ＢＭＬファイル
・背景画像ファイル
・背景画像以外の画像ファイル
・上記以外のもの
なお、ＢＭＬファイルとは、画像ファイルが表示される座標情報等が記述されたものである。
【００２４】
上記データ放送では、背景画像（画面全体）の画像ファイルを指定する。従来の背景画像は横長画像１１１になる。背景画像以外の画像ファイル１１２は、背景画像上に表示されるものであり、画面全体が横長に表示されることを前提に作成されている。画像ファイルの形式としては、ＰＮＧ形式が使用できる。
【００２５】
なお、ＰＮＧとは、Portable Network Graphicsの略であり、画像フォーマットの一つである。ＪＰＥＧやＧＩＦに代わってＷＷＷ上で広く使われることを目指して開発されたものである。
【００２６】
以下、図１〜図３により、本発明のエリア放送システムの概要を説明する。
図１において、ＰＣ（パソコン）１において放送対象とするポスター等の広告表示の画面が作成される。該画面は画像蓄積装置２に格納される。
【００２７】
蓄積された画像３は、放送送出装置４に入力され、放送送出装置４内で後述する画像処理がなされ、図１の７に示すように、標準の横長型デジタル・テレビ受像機を縦長方向に立てて設置し、該立てて設置されたテレビ受像機の縦長画面にポスター等のデジタル画像が縦長に正立して全画面で表示されるようなテレビ放送を送信する。
【００２８】
テレビ放送は、ビル内等の限られたエリアに放送されるエリア放送のデータ放送を用いる。テレビ受像機には、何も改良を加えることなく、ただ、従来横長型に設置されていた受像機を縦長方向に、すなわち、従来とは９０度回転させた方向に設置して用いる。なお、本発明でいうエリア放送において、放送送出装置からテレビ受像機までの伝達経路はいかなるものでもよい。
【００２９】
たとえば、放送送出装置から送信アンテナにより電波を大気中に送出し、この電波を受信アンテナで受け、テレビ受像機で受信する形態や、放送送出装置から同軸ケーブル等でテレビ受像機まで伝達させる形態などがある。
【００３０】
上記データ放送は、テレビ受像機のデータ放送受信画面において、通常のテレビ受像画面（映像）を表示せず、該縦長画面にポスター等のデジタル画像のみが縦長に正立して全画面で表示される。このように、ＮＨＫや民放などが放送している通常のデータ放送と異なり小さくなった通常のＴＶ画面（映像）を有さないデータ放送のみの表示画面となる。
【００３１】
上記システムは、前記放送送出装置４内で既に上記縦長画面７が形成され、該放送波が送出されることを意味する。
すなわち、該放送波を通常のテレビ受像機で受信すると図1の６に示すごとく、横に寝た縦長画面が表示される。
【００３２】
本発明は、通常のテレビ受像機を図１の７の如く、縦置きにして用いることにより、縦長画面にポスター等のデジタル画像が縦長に正立して全画面で表示される放送システム及び該システムに用いられる放送送出装置である。なお、図1の７には、テレビの台部分も表示されているが、本発明の場合、台部分を含め、縦置きに適したテレビ受像機となるのはいうまでもない。例えば、壁掛けテレビ等が好ましい。
【実施例１】
【００３３】
本発明の縦横変換機能付き放送送信システムの第１実施例は、図１〜図４に示すごとく、縦長画像３は、放送送出装置４内の縦横変換部２０（図２）により図１の５の如く、横に寝た画像に９０度回転させられる。放送送出装置２１は、従来の放送送出装置と同一機能のものを用いる。
【００３４】
さらに、詳述すると、図３に示す如く、前記ポスター等のデジタル画像が背景画像３０及び該背景画像に貼り付けられた部分画像３１，３２の多層画面であって、上記背景画像が９０度回転された画像データと共に、上記部分画像もその位置情報と共に回転された画像３６．３７を形成し、これら多層画面を上記部分画像の位置情報と組み合わせて合成し、放送波を作成して送信する。
【００３５】
すなわち、図３において、背景画像３０は９０度回転させて画像３５と変換すると共に、部分画像３１，３２も９０度変換させて部分画像３６，３７を形成する。送出される最終画像は，上記背景画像３５に部分画像３６，３７を貼り付けた画像となる。
このとき、重要なのは、上記原画像を正確に送出用画像４７に変換するためには、部分画像３１，３２の位置を正確に原画像に合わせて部分画像３６，３７を再生することである。
【００３６】
このため、前記画像蓄積装置２（図１）には、部分画像３１，３２の位置情報４５を格納するデータベースを有し、また、これを送出する画像３６，３７の対応する位置に変換するソフトを前記放送送出装置４の座標変換処理部６５（図４）内に有する。従って、送出する画像３１，３２に対する画像の対応する位置情報も併せて上記データベースに格納する必要がある。送出する画像３６，３７の原画像と対応する位置に変換された位置情報４６が作成され、該変換された位置情報４６に基づき、部分画像３１，３２の位置を正確に原画像に合わせて背景画像３５及び部分画像３６，３７を再生し、再生された縦長画像４７が放送送出装置７５（図４）により放送波として送出される。
【００３７】
図４には、この画像変換の具体的イメージを示す。図４において、背景画像６２、背景画像以外の部分画像６３、及び部分画像の位置情報（ＢＭＬデータ）６１は、それぞれ画像回転処理（６６，６７）および座標回転処理（６５）を経て、縦長の横向き画像７１，７２に変換され、これらが合成されて、７８に示すごとく、通常のテレビ受像機で横向きに表示される縦長画像が放送波に載せられる。
【００３８】
上記部分画像の変換イメージが図５に示される、通常のテレビ受像機で横向き用に表示される部分画像８０が、縦置きテレビ受像機で縦長画像用の部分画像８１として表示される。
【００３９】
このとき、通常のテレビ受像機で横向きに表示される部分画像８０が、縦置きテレビ受像機で縦長画面７９の部分画像８１の位置関係も、縦置きテレビ受像機で縦長画像７９として正立されて表示され縦長画像の部分画像８１の位置に正確に移行する。この場合の座標は、左上のコーナーを原点（図５の〇印）８２，８３として表示される。
【００４０】
・テレビ画面は横長であるので、図５（ａ）のように横長の画面を通常は想定するが、図５（ｂ）のように縦長の画面もテレビを立てて表示させれば表現可能である。
・ＢＭＬファイルは、この領域の中の、どの位置に画像を配置するかを記述したファイルである。
・座標系は、左上を原点として表現される。
・画像ファイルの表示位置を左上の座標（図５の〇）などで表現する。
・ここでは、座標系の概念を示すために図５を表現したが、実際のＢＭＬファイルはテキストファイルである。
・たとえば、（ｘ，ｙ）＝（３０１，１８６）に表示される画像は次のようなテキスト文で指定される。
<object id =“icon1” class =“airship” data=“/40/0006/airship.png" style="left:301px;top:186px;" type="image/X-arib-png"/>
なお、上記記述で、「style="left:301px;top:186px;"」が位置情報である。
【００４１】
ＢＭＬファイルでの座標系の表現は、以下のとおりである。
・ＢＭＬでは、座標は、上、左、下、右を、Top=23px, left=10px, bottom=55px、right=48pxのなどと表現する。
・また、横幅、縦幅、は、width=38px, height=32pxなどと表現する。
なお、ｐｘはｐｉｘｅｌを略したものである。
【００４２】
上記部分画像８４，８７の位置関係のさらに詳細な説明図を図６に示す。
図６において、画像表示位置の座標変換の数式は、以下のとおりとなる。
CX＝AY
CY＝ZX-AX-BX
【００４３】
図７は、前記画像回転処理の説明図である。
原理的にいえば、図７（ａ）に示すように、１，２，３・・・１０，１１，１２のごとく、行列の順に構成されている画像９０の順番を、横に寝た状態で１，２，３・・・１０，１１，１２のごとく、縦長画面の行列の順に変換すればよい。
【００４４】
このように、画素を入れ替えることで実現されるが、これは図７（ｂ）に見られるように非常に広く一般的に利用されている技術である。たとえば、図７（ｂ）のように、Ｗｉｎｄｏｗｓ（登録商標）標準の画像表示ソフトで部分９５を押すと画像を回転することができる。
【００４５】
また、データ放送には、郵便番号を検知する機能があり、送出される郵便番号に対応した地域のデータ放送を送出していることが周知である。この郵便番号送出機能を利用し、郵便番号と対応させた所定の画像を送出すると、受信側で受信場所に応じたポスター等を表示させることができる。この場合も、郵便番号に対応した画像データを格納するデータベースを前記画像蓄積装置２内に有する。
【００４６】
このようにして、本発明のエリア放送システムは、上記９０度回転された画像データ、部分画像をその位置情報、及び郵便番号と所望のポスター等のデジタル画像とのリンクを格納したデータベースを有し、受像機の郵便番号の設定により所望に上記ポスター等のデジタル画像を表示させる。
【実施例２】
【００４７】
本発明の縦横変換機能付き放送送信システムの第２実施例は、図８に示すごとく、図１のＰＣ１で予め回転画像（ＢＭＬファイル１００，背景画像１０１，背景以外の画像１０２）を作成し、それらを放送送出装置１０７の記憶装置１０３に入力させるものである。
【００４８】
このように最初から縦長の横向き画像をデジタル放送波に載せる事で図８の受信画像１０６を表示させることができる。図８のテレビ受像機を立てれば、縦長画像が表示される。
【００４９】
長期間、同じポスター画面を多数の端末で表示させるような場合、この第２実施例のごとく、予め縦長の横向き画像をパソコンで作成しておいて、通常の放送送出装置で放送するのが効率的である。この場合、放送送出装置は既存のものでよいので、既存のシステムをそのまま用いることができるメリットがある。
【００５０】
一方、多種類のポスター等の画像を短期間（例えば、時間単位や分単位）で変更させる場合、あるいは、動画の場合は、第２実施例のように予め縦長の横向き画像をパソコンで作成しておくのは手間が掛かり、必ずしも効率的ではなく、第１実施例のごとく、画像回転装置を内蔵する放送送出装置を用いる方が効率的である。また、多数の箇所に異なる多種類の画像を配信する場合も第１実施例の方が効率的である。
【産業上の利用可能性】
【００５１】
本発明の縦横変換機能付き放送送信システムは、ビル内等の限られたエリア内でのエリア放送で行えば、複数の通常のテレビ受像機を用いることにより、それぞれのテレビ受像機に任意のポスター等の広告表示を行えるので、広告塔としての設置コストも小さく、しかも、利便性が高いので、産業上の利用性が高い。
【００５２】
また、各広告塔（テレビ受像機）を受信郵便番号を変えるのみで、対応する放送波のポスター等の画面を選択できるので、従来のような紙ポスターの張替え等の手間がなく、また、動画も再生できる利便性がある。さらに、従来のテレビ受像機を用いた縦長画面設置型と比較すると、従来型は端末側での映像処理になるので操作が面倒であるのに対して、本発明の縦横変換機能付き放送送信システムは、放送側ですべて配信画像を選択できると共に、受信側では通常のテレビ受像機を改変することなく使用できるのでその利便性が高く、産業上の利用性も高い。
【符号の説明】
【００５３】
１      パソコン
２      画像蓄積装置
３      縦型画像
４      放送送出装置
５      横向き画像
６，７      テレビ受像機画像
２０      縦横変換部
３０      背景画像
３１,３２      背景画像以外の画像
４１      画像縦横変換部
４２      ＢＭＬデータ縦横変換部
６５      座標変換処理部
６６      画像回転処理部
６７      画像回転処理部
７８      テレビ受像機
【図１】
2013183389.tif 000003
【図２】
2013183389.tif 000004
【図３】
2013183389.tif 000005
【図４】
2013183389.tif 000006
【図５】
2013183389.tif 000007
【図６】
2013183389.tif 000008
【図７】
2013183389.tif 000009
【図８】
2013183389.tif 000010
【図９】
2013183389.tif 000011